(57)【要約】【課題】全ての給紙トレイが抜けていて給紙不可の状態にあってもファクシミリ通信手順の受信能力の記録紙サイズとして適切なサイズを相手機に通知することができるようにした画像形成装置およびその制御方法を提供する。【解決手段】複数の給紙トレイを有するとともにファクシミリ通信機能を有する画像形成装置において、複数の給紙トレイに収納された記録紙のそれぞれのサイズ情報を記憶し、ファクシミリ通信機能によるファクシミリ通信時に、複数の給紙トレイの全てが給紙不可の場合は、該記憶したサイズ情報をファクシミリ通信手順の受信能力の記録紙サイズとして相手機に通知する。【選択図】　図１
2004096176.tif 000002
【特許請求の範囲】
【請求項１】
複数の給紙トレイを有するとともにファクシミリ通信機能を有する画像形成装置において、
前記複数の給紙トレイに収納された記録紙のそれぞれのサイズ情報を記憶する記憶手段と、
前記ファクシミリ通信機能によるファクシミリ通信時に前記複数の給紙トレイの全てが給紙不可の場合は、ファクシミリ通信手順の受信能力の記録紙サイズとして前記記憶手段に記憶されたサイズ情報を相手機に通知する通知手段と
を具備することを特徴とする画像形成装置。
【請求項２】
自動給紙を許可する紙質を記憶する自動給紙許可紙質記憶手段
を更に具備し、
前記ファクシミリ通信機能によるファクシミリ通信時におけるファクシミリ通信手順の受信能力の記録紙サイズの通知に際しては前記複数の給紙トレイの中から前記自動給紙許可紙質記憶手段に自動給紙を許可すると記憶された紙質の記録紙が収納された給紙トレイを選択し、該選択された給紙トレイに対応して前記記憶手段に記憶されたサイズ情報を通知することを特徴とする請求項１記載の画像形成装置。
【請求項３】
前記給紙トレイに収納される記録紙の紙質はユーザにより選択的に設定されることを特徴とする請求項２記載の画像形成装置。
【請求項４】
前記給紙トレイに収納される記録紙の紙質は自動的に識別されることを特徴とする請求項２記載の画像形成装置。
【請求項５】
前記自動給紙許可紙質記憶手段に記憶される自動給紙を許可する紙質は、ユーザにより選択的に設定されることを特徴とする請求項２記載の画像形成装置。
【請求項６】
前記複数の給紙トレイの全てが給紙不可の場合に使用する用紙サイズ情報を記憶する用紙サイズ情報記憶手段
を更に具備し、
前記ファクシミリ通信機能によるファクシミリ通信時に前記複数の給紙トレイの全てが給紙不可の場合は、ファクシミリ通信手順の受信能力の記録紙サイズとして前記記憶手段に記憶されたサイズ情報の中で前記用紙サイズ情報記憶手段に記憶された用紙サイズ情報と一致するサイズ情報をファクシミリ通信手順の受信能力の記録紙サイズとして相手機に通知する
ことを特徴とする請求項１記載の画像形成装置。
【請求項７】
前記用紙サイズ情報記憶手段に記憶される前記複数の給紙トレイの全てが給紙不可の場合に使用する用紙サイズ情報は、ユーザにより選択的に設定されることを特徴とする請求項６記載の画像形成装置。
【請求項８】
複数の給紙トレイを有するとともにファクシミリ通信機能を有する画像形成装置の制御方法において、
前記複数の給紙トレイに収納された記録紙のそれぞれのサイズ情報を記憶し、前記ファクシミリ通信機能によるファクシミリ通信時に前記複数の給紙トレイの全てが給紙不可の場合は、該記憶したサイズ情報をファクシミリ通信手順の受信能力の記録紙サイズとして相手機に通知する
ことを特徴とする画像形成装置の制御方法。
【請求項９】
自動給紙を許可する紙質を更に記憶し、
前記ファクシミリ通信機能によるファクシミリ通信時におけるファクシミリ通信手順の受信能力の記録紙サイズの通知に際しては前記複数の給紙トレイの中から前記記憶した自動給紙を許可すると記憶された紙質の記録紙が収納された給紙トレイを選択し、
該選択された給紙トレイに対応して記憶されたサイズ情報を相手機に通知する
ことを特徴とする請求項８記載の画像形成装置の制御方法。
【請求項１０】
前記給紙トレイに収納される記録紙の紙質はユーザにより選択的に設定されることを特徴とする請求項９記載の画像形成装置の制御方法。
【請求項１１】
前記給紙トレイに収納される記録紙の紙質は自動的に識別されることを特徴とする請求項９記載の画像形成装置の制御方法。
【請求項１２】
前記記憶される自動給紙を許可する紙質は、ユーザにより選択的に設定されることを特徴とする請求項９記載の画像形成装置の制御方法。
【請求項１３】
前記複数の給紙トレイの全てが給紙不可の場合に使用する用紙サイズ情報を更に記憶し、
前記ファクシミリ通信機能によるファクシミリ通信時に前記複数の給紙トレイの全てが給紙不可の場合は、ファクシミリ通信手順の受信能力の記録紙サイズとして前記記憶されたサイズ情報の中で前記記憶された用紙サイズ情報と一致するサイズ情報をファクシミリ通信手順の受信能力の記録紙サイズとして相手機に通知する
ことを特徴とする請求項８記載の画像形成装置の制御方法。
【請求項１４】
前記記憶される前記複数の給紙トレイの全てが給紙不可の場合に使用する用紙サイズ情報は、ユーザにより選択的に設定されることを特徴とする請求項１３記載の画像形成装置の制御方法。
【発明の詳細な説明】
【０００１】
【発明の属する技術分野】
この発明は、画像形成装置およびその制御方法に関し、特に、全ての給紙トレイが抜けていて給紙不可の状態にあってもファクシミリ通信手順の受信能力の記録紙サイズとして適切なサイズを相手機に通知することができるようにした画像形成装置およびその制御方法に関する。
【０００２】
【従来の技術】
従来、複数のサイズの記録紙をセットできる複数の給紙トレイを有するファクシミリ装置においては、特開平１１−２０５５２４号公報に開示されているように、受信した文書サイズに合わせて自動的に給紙トレイを選択して適切な記録紙にプリントアウトするように構成されている。
【０００３】
さて、この種のファクシミリ装置においては、ファクシミリ文書受信する際に、相手機に対してファクシミリ通信手順で受信可能な記録紙サイズを宣言することができるように構成されており、このとき、ファクシミリ受信した後確実にプリントアウト可能にするために、従来のファクシミリ装置においては、給紙可能な状態にある給紙トレイにセットされた記録紙サイズのみを宣言するように構成するのが一般的である。
【０００４】
【発明が解決しようとする課題】
ところで、最近、ファクシミリ単体の装置ではなく、コピーやプリンタ機能を備えた複合機が開発され、このような複合機においては、給紙トレイにファクシミリの受信文書をプリントアウトするには不適切な記録紙（例えば、ＯＨＰなど）がセットされるケースもある。
【０００５】
そのため、給紙トレイにセットされる紙質の種類も増え、ある特定の用途に使用したいために、ファクシミリの受信文書のプリントアウトには不適切な記録紙がトレイにセットされている場合がある。
【０００６】
この場合は、このトレイまたはその紙質の記録紙がセットされているトレイを自動給紙の対象から外す必要がある。
【０００７】
そのような状態でファクシミリ受信文書をプリントアウトする場合、自動給紙のトレイの対象外となっているトレイを除いてプリントアウトできる給紙トレイから選択してプリントアウトしなければならない。
【０００８】
しかし給紙トレイが全て抜かれているような場合、どのような記録紙がセットできるのか不明なため、受信を拒否してしまうとか、そのマシンが給紙できる可能性のある記録紙サイズを全て宣言してしまうという不具合があった。
【０００９】
そこで、この発明は、全ての給紙トレイが抜けていて給紙不可の状態にあってもファクシミリ通信手順の受信能力の記録紙サイズとして適切なサイズを相手機に通知することができるようにした画像形成装置およびその制御方法を提供することを目的とする。
【００１０】
【課題を解決するための手段】
上記目的を達成するため、請求項１の発明は、複数の給紙トレイを有するとともにファクシミリ通信機能を有する画像形成装置において、前記複数の給紙トレイに収納された記録紙のそれぞれのサイズ情報を記憶する記憶手段と、前記ファクシミリ通信機能によるファクシミリ通信時に前記複数の給紙トレイの全てが給紙不可の場合は、ファクシミリ通信手順の受信能力の記録紙サイズとして前記記憶手段に記憶されたサイズ情報を相手機に通知する通知手段とを具備することを特徴とする。
【００１１】
また、請求項２の発明は、請求項１の発明において、自動給紙を許可する紙質を記憶する自動給紙許可紙質記憶手段を更に具備し、前記ファクシミリ通信機能によるファクシミリ通信時におけるファクシミリ通信手順の受信能力の記録紙サイズの通知に際しては前記複数の給紙トレイの中から前記自動給紙許可紙質記憶手段に自動給紙を許可すると記憶された紙質の記録紙が収納された給紙トレイを選択し、該選択された給紙トレイに対応して前記記憶手段に記憶されたサイズ情報を通知することを特徴とする。
【００１２】
また、請求項３の発明は、請求項２の発明において、前記給紙トレイに収納される記録紙の紙質はユーザにより選択的に設定されることを特徴とする。
【００１３】
また、請求項４の発明は、請求項２の発明において、前記給紙トレイに収納される記録紙の紙質は自動的に識別されることを特徴とする。
【００１４】
また、請求項５の発明は、請求項２の発明において、前記自動給紙許可紙質記憶手段に記憶される自動給紙を許可する紙質は、ユーザにより選択的に設定されることを特徴とする。
【００１５】
また、請求項６の発明は、請求項１の発明において、前記複数の給紙トレイの全てが給紙不可の場合に使用する用紙サイズ情報を記憶する用紙サイズ情報記憶手段を更に具備し、前記ファクシミリ通信機能によるファクシミリ通信時に前記複数の給紙トレイの全てが給紙不可の場合は、ファクシミリ通信手順の受信能力の記録紙サイズとして前記記憶手段に記憶されたサイズ情報の中で前記用紙サイズ情報記憶手段に記憶された用紙サイズ情報と一致するサイズ情報をファクシミリ通信手順の受信能力の記録紙サイズとして相手機に通知することを特徴とする。
【００１６】
また、請求項７の発明は、請求甲の発明において、前記用紙サイズ情報記憶手段に記憶される前記複数の給紙トレイの全てが給紙不可の場合に使用する用紙サイズ情報は、ユーザにより選択的に設定されることを特徴とする。
【００１７】
また、請求項８の発明は、複数の給紙トレイを有するとともにファクシミリ通信機能を有する画像形成装置の制御方法において、前記複数の給紙トレイに収納された記録紙のそれぞれのサイズ情報を記憶し、前記ファクシミリ通信機能によるファクシミリ通信時に前記複数の給紙トレイの全てが給紙不可の場合は、該記憶したサイズ情報をファクシミリ通信手順の受信能力の記録紙サイズとして相手機に通知することを特徴とする。
【００１８】
また、請求項９の発明は、請求項８の発明において、自動給紙を許可する紙質を更に記憶し、前記ファクシミリ通信機能によるファクシミリ通信時におけるファクシミリ通信手順の受信能力の記録紙サイズの通知に際しては前記複数の給紙トレイの中から前記記憶した自動給紙を許可すると記憶された紙質の記録紙が収納された給紙トレイを選択し、該選択された給紙トレイに対応して記憶されたサイズ情報を相手機に通知することを特徴とする。
【００１９】
また、請求項１０の発明は、請求項９の発明において、前記給紙トレイに収納される記録紙の紙質はユーザにより選択的に設定されることを特徴とする。
【００２０】
また、請求項１１の発明は、請求項９の発明において、前記給紙トレイに収納される記録紙の紙質は自動的に識別されることを特徴とする。
【００２１】
また、請求項１２の発明は、請求項９の発明において、前記記憶される自動給紙を許可する紙質は、ユーザにより選択的に設定されることを特徴とする。
【００２２】
また、請求項１３の発明は、請求項８の発明において、前記複数の給紙トレイの全てが給紙不可の場合に使用する用紙サイズ情報を更に記憶し、前記ファクシミリ通信機能によるファクシミリ通信時に前記複数の給紙トレイの全てが給紙不可の場合は、ファクシミリ通信手順の受信能力の記録紙サイズとして前記記憶されたサイズ情報の中で前記記憶された用紙サイズ情報と一致するサイズ情報をファクシミリ通信手順の受信能力の記録紙サイズとして相手機に通知することを特徴とする。
【００２３】
また、請求項１４の発明は、請求項１３の発明において、前記記憶される前記複数の給紙トレイの全てが給紙不可の場合に使用する用紙サイズ情報は、ユーザにより選択的に設定されることを特徴とする。
【００２４】
【発明の実施の形態】
以下、この発明に係わる画像形成装置およびその制御方法の実施の形態を添付図面を参照して詳細に説明する。
【００２５】
図１は、この発明に係わる画像形成装置の概略構成を示すブロック図である。
【００２６】
図１において、この画像形成装置は、通常のファクシミリ機能に加えて、コピー機能、外部から入力された情報をプリントするプリンタ機能を有するもので、中央演算処理装置（ＣＰＵ）１、主記憶装置２、補助記憶装置３、表示装置４、操作パネル５、ハードディスク（ＨＤＤ）６、画像処理装置７、画像入力装置８、画像出力装置９、給紙装置１０、画像読取装置１１、通信制御装置１２をバスライン１００に接続して構成される。
【００２７】
ここで、中央演算処理装置１は、この画像形成装置の伝体動作を統括制御するものである。
【００２８】
また、主記憶装置２は、中央演算処理装置１の制御プログラム等のシステムデータおよび各種データを記憶するものであり、補助記憶装置３は、不揮発性メモリ（ＮＶＲＡＭ）揮発性メモリＲＡＭ）などの各種データを保存可能な記憶装置若しくはその記憶領域を示す。
【００２９】
表示装置４は、この画像形成装置の操作状態、動作状態等を表示するものであり、操作パネル５は、この画像形成装置に対する各種操作入力を行うものである。
【００３０】
ハードディスク６は、主記憶装置２とともに、このファクシミリ装置の主記憶部を構成する。
【００３１】
画像処理装置７は、この画像形成装置で制御する画像データの圧縮／伸長などの処理を行うものである。
【００３２】
画像入力装置８は、公衆回線やローカルエリアネットワーク（ＬＡＮ）などの外部ネットワークから画像データを入力するもので、この画像入力装置８から入力された画像データは、画像処理装置７で圧縮／伸長などの処理が行われ、主記憶装置２またはハードディスク６に蓄積される。
【００３３】
画像出力装置９は、出力画像をプリントアウトするものである。また、給紙装置１０は、複数の給紙トレイで構成され、画像出力装置９からのプリントアウトに際して中央演算処理装置１の制御により適当な給紙トレイを選択して記録紙を画像出力装置９に供給する。この発明に係る特定サイズの記録紙を給紙可能な複数の給紙トレイは、この給紙装置１０に含まれる。
【００３４】
画像読取装置１１は、スキャナなどから構成され、画像データの入力を行う。この画像読取装置１１から入力された画像データは、画像処理装置７で圧縮／伸長などの処理が行われ、主記憶装置２またはハードディスク６に蓄積される。
【００３５】
通信制御装置１２は、外部公衆回線と接続され、ファクシミリ信号の送受信処理を行う。この通信制御装置１２により外部公衆回線から受信したファクシミリ文書は、画像処理装置７で圧縮／伸長などの処理が行われ、主記憶装置２またはハードディスク６に蓄積される。
【００３６】
また、通信制御装置１２は、画像処理装置７で圧縮／伸長などの処理が行われた画像データを外部公衆回線にファクシミリ文書として送信する。
【００３７】
そして、この画像形成装置は、通信制御装置１２を介してファクシミリ文書の送受信処理を行うことでファクシミリ機能を実現し、画像読取装置１１で読み取った画像データを画像処理装置７で圧縮／伸長などの処理を行って画像出力装置９へ出力することでコピー機能を実現し、画像入力装置８を介して公衆回線やローカルエリアネットワークなどの外部ネットワークから入力した画像データを画像データを画像処理装置７で圧縮／伸長などの処理を行って画像出力装置９へ出力することでプリンタ機能を実現している。
【００３８】
さて、この画像形成装置においては、全ての給紙トレイが抜けていて給紙不可の状態にあってもファクシミリ通信手順の受信能力の記録紙サイズとして適切なサイズを相手機に通知することができるように構成される。
【００３９】
ファクシミリ受信の通信手順では、受信能力として記録紙サイズを相手機に通知する。このとき、受信したファクシミリ文書が後確実にプリントアウトできるように、ＡＰＳ（Ａｕｔｏ　Ｐａｐｅｒ　Ｓｅｌｅｃｔ）で選択可能な給紙トレイのサイズを相手機に通知する。
【００４０】
図２は、図１に示した画像形成装置の補助記憶装置３に記憶されるトレイ管理情報の一例を示す図である。
【００４１】
図２において、この実施の形態の画像形成装置においては、給紙トレイ番号「１」〜「４」の４個の給紙トレイを有しており、給紙トレイ番号「１」の給紙トレイは、紙質が「普通紙」で、用紙サイズが「Ａ４横」の記録紙が収納されており、この給紙トレイの用紙の有無は「有」であり、その状態は、「Ｎｏｔ　Ｒｅａｄｙ」すなわち給紙不可状態にあることを示している。
【００４２】
また、給紙トレイ番号「２」の給紙トレイは、紙質が「厚紙」で、用紙サイズが「Ａ４横」の記録紙が収納されており、この給紙トレイの用紙の有無は「有」であり、その状態は、「Ｎｏｔ　Ｒｅａｄｙ」すなわち給紙不可状態にあることを示している。
【００４３】
また、給紙トレイ番号「３」の給紙トレイは、紙質が「ＯＨＰ」で、用紙サイズが「Ａ４縦」の記録紙が収納されており、この給紙トレイの用紙の有無は「有」であり、その状態は、「Ｎｏｔ　Ｒｅａｄｙ」すなわち給紙不可状態にあることを示している。
【００４４】
また、給紙トレイ番号「４」の給紙トレイは、紙質が「上質紙」で、用紙サイズが「Ａ３横」の記録紙が収納されており、この給紙トレイの用紙の有無は「無」であり、その状態は、「Ｎｏｔ　Ｒｅａｄｙ」すなわち給紙不可状態にあることを示している。
【００４５】
上記図２に示したトレイ管理情報は、各給紙トレイにセットされている用紙が定期的に検知されて、その都度更新される。
【００４６】
すなわち、図２においては、全ての給紙トレイが抜けていて給紙不可の状態にあることを示している。
【００４７】
図３は、図１に示した画像形成装置におけるファクシミリ着信時の動作を示すフローチャートである。
【００４８】
図３において、図１に示した通信制御装置１２がファクシミリの着信を検出すると（ステップ５０１）、給紙装置１０に使用可能な給紙トレイが存在するか否かを調べる（ステップ５０２）。このステップ５０２の処理は、図２に示したトレイ管理情報を調べることにより行われる。
【００４９】
ここで、給紙装置１０に使用可能な給紙トレイが存在しない場合は（ステップ５０２でＮＯ）、すなわち、図２に示したように、全ての給紙トレイが「ＮｏｔＲｅａｄｙ」すなわち給紙不可状態にあリ、すぐに使用できる給紙トレイが１つも存在しなかった場合は、補助記憶装置３に記憶されるトレイ管理情報の記録紙のサイズや紙質を確認して最適な用紙サイズを選択する（ステップ５０３）。
【００５０】
また、ステップ５０２で、給紙装置１０に使用可能な給紙トレイが存在する場合は（ステップ５０２でＹＥＳ）、補助記憶装置３に記憶されるトレイ管理情報を参照して、「Ｒｅａｄｙ」となっている給紙トレイの記録紙のサイズや紙質を確認して用紙サイズを選択する（ステップ５０４）。
【００５１】
そして、ステップ５０３で選択された用紙サイズ若しくはステップ５０４で選択された用紙サイズをファクシミリ通信手順で受信能力として相手機に通知し（ステップ５０５）、この処理を終了する。
【００５２】
図４は、図３に示したステップ５０３の処理の詳細例を示すフローチャートである。
【００５３】
図４に示す処理においては、図１に示した補助記憶装置３に記憶されている図５に示すような各紙質毎のＡＰＳ許可／不許可の情報を参照して相手機に送信する用紙サイズを選択する。
【００５４】
図４において、まず、給紙トレイ番号「Ｎ」を「１」にセットし（ステップ６０２）、次に、この給紙トレイ番号「１」の給紙トレイは使用不可かを調べる（ステップ６０３）。ここで、この給紙トレイ番号「１」の給紙トレイが使用不可であると判断されると（ステップ６０３でＹＥＳ）、図２に示したトレイ管理情報からこの給紙トレイに収容されている記録紙の紙質を取得し（ステップ６０４）、図５に示したＡＰＳ許可／不許可の情報を参照してこの紙質がＡＰＳ可能かを調べる（ステップ６０５）。
【００５５】
ここで、この紙質がＡＰＳ可能であると設定されていると（ステップ６０５でＹＥＳ）、この記録紙の用紙サイズを記憶し（ステップ６０６）、ステップ６０７に進む。
【００５６】
また、ステップ６０５で、この紙質がＡＰＳ可能であると設定されていないと、この記録紙の用紙サイズを記憶することなくステップ６０７に進む。
【００５７】
ステップ６０７では、給紙トレイ番号「Ｎ」を「１」インクリメントし（ステップ６０７）、次に、トレイＮは存在するかを調べ（ステップ６０８）、ここで、未だトレイＮが存在すると判断されると（ステップ６０８でＹＥＳ）、ステップ６０３に戻り、ステップ６０３からステップ６０８の処理を繰り返す。
【００５８】
そして、ステップ６０８でトレイＮが存在しないと判断されると（ステップ６０８でＮＯ）、この用紙サイズの判定処理を終了する。
【００５９】
すなわち、上記処理において、ステップ６０６で記憶された用紙サイズがファクシミリ通信手順で受信能力として相手機に通知される用紙サイズになる。
【００６０】
このような構成によると、全ての給紙トレイが「Ｎｏｔ　Ｒｅａｄｙ」すなわち給紙不可状態にあっても、ファクシミリ通信手順で受信能力として相手機に用紙サイズを通知することができる。
【００６１】
なお、図２に示したトレイ管理情報の状態および図５に示した各紙質毎のＡＰＳ許可／不許可の情報を参照すると、自動給紙を唯一許可されている紙質である普通紙がトレイ番号「１」の給紙トレイにセットされているので、この用紙サイズはＡ４横と判断され、その用紙サイズのＡ４横がファクシミリ通信手順で受信能力として相手機に通知される。
【００６２】
なお、上記構成において、補助記憶装置３に記憶されているそれぞれの給紙トレイにセットされている用紙の紙質は、操作パネル５よりユーザが設定することができる。
【００６３】
また、各給紙トレイに収納される用紙の紙質については、例えばＯＨＰとそれ以外の不透過性の用紙は自動的に識別することが可能であるので、補助記憶装置３のトレイ管理情報として記憶されるそれぞれの給紙トレイにセットされている用紙の紙質は、自動的に識別することができる。
【００６４】
また、補助記憶装置３に記憶されているそれぞれの紙質がＳＰＳ可能か否かは、操作パネル５よりユーザ設定することができる。
【００６５】
なお、上記実施の形態においては、給紙装置１０に使用可能な給紙トレイが存在しない場合は、すなわち、図２に示したように、全ての給紙トレイが「ＮｏｔＲｅａｄｙ」すなわち給紙不可状態にあリ、すぐに使用できる給紙トレイが１つも存在しなかった場合は、補助記憶装置３に記憶されるトレイ管理情報の記録紙のサイズや紙質を確認して最適な用紙サイズを選択するように構成したが、図６に示すようように、全ての給紙トレイが「Ｎｏｔ　Ｒｅａｄｙ」の場合に相手機に通知する用紙サイズを予め設定しておき、全ての給紙トレイが「Ｎｏｔ　Ｒｅａｄｙ」の場合は、この予め設定された用紙サイズ、図６の場合はＡ４横およびＢ５縦をファクシミリ通信手順で受信能力として相手機に通知するように構成してもよい。
【００６６】
【発明の効果】
以上説明したようにこの発明によれば、全ての給紙トレイが抜けている場合でも、受信能力がないといった状態に陥ることなく、適切な記録紙サイズを相手機に通知することがが可能となり、給紙トレイを戻した時に受信した文書をプリントすることがができるという効果を奏する。
【図面の簡単な説明】
【図１】この発明に係わる画像形成装置の概略構成を示すブロック図である。
【図２】図１に示した画像形成装置の補助記憶装置３に記憶されるトレイ管理情報の一例を示す図である。
【図３】図１に示した画像形成装置におけるファクシミリ着信時の動作を示すフローチャートである。
【図４】図３に示した用紙サイズ選択処理の詳細例を示すフローチャートである。
【図５】各紙質毎のＡＰＳ許可／不許可の情報の設定例を示す図である。
【図６】全ての給紙トレイが「Ｎｏｔ　Ｒｅａｄｙ」の場合に相手機に通知する用紙サイズを予め設定する場合の設定例を示す図である。
【符号の説明】
１　　中央演算処理装置（ＣＰＵ）
２　　主記憶装置
３　　補助記憶装置
４　　表示装置
５　　操作パネル
６　　ハードディスク（ＨＤＤ）
７　　画像処理装置
８　　画像入力装置
９　　画像出力装置
１０　　給紙装置
１１　　画像読取装置
１２　　通信制御装置
１００　　バスライン
【図１】
2004096176.tif 000003
【図２】
2004096176.tif 000004
【図３】
2004096176.tif 000005
【図４】
2004096176.tif 000006
【図５】
2004096176.tif 000007
【図６】
2004096176.tif 000008